(57)【要約】      （修正有）【課題】屋根軒先雪降ろし作業において、積雪された軒先の雪の量を適当な量に切り分け、落雪方向を作業者から回避して安全を確保しつつ簡単に屋根雪を切り離し落下可能とした雪切り鋸を提供する。【解決手段】積雪屋根の雪切り鋸Ｄは、少なくとも操作柄１５と、その操作柄の先端に角度調整可能に装着される鋸装着杆と、当該鋸装着杆の先端に着脱自在に取り付け可能とした鋸歯板１１とを備える。操作柄と鋸装着杆との間にブラケットを介在させてもよい。【選択図】図１
0003176387.tif 000002
【実用新案登録請求の範囲】
【請求項１】
操作柄の先端に角度調整装着可能とした鋸装着杆と、当該鋸装着杆の先端に着脱自在に取り付け可能とした鋼製の鋸歯板とを備えた積雪屋根の雪切り鋸。
【請求項２】
鋸歯板はその前面及び両側面の稜線に沿って鋸歯を備えたものである積雪屋根の雪切り鋸。
【請求項３】
前記鋸歯板はその中央に備える雌ねじ筒と、前記鋸装着杆先端の雄ねじ杆とによる螺合構造により取り付け長さ調節自在とし、調節固定位置にロック可能としたことを特徴とする請求項１または請求項２に記載の積雪屋根の雪切り鋸。
【請求項４】
前記操作柄は、その先端に、鋸装着杆との中間部材としてブラケットを備え、当該ブラケットは、前記操作柄の先端を挿入し固定する筒部分と、前記鋸装着杆の他端を枢支すると共に前記鋸装着杆を所定の角度に調整された位置に固定するクランプねじを備えたものであることを特徴とする、請求項１〜３のいずれかに記載の積雪屋根の雪切り鋸。
【請求項５】
前記クランプねじは摘み頭部を有し、脱落防止紐により連結した請求項１〜４のいずれかに記載の積雪屋根の雪切り鋸。
【請求項６】
前記操作柄を伸縮自在とした請求項１〜５のいずれかに記載の積雪屋根の雪切り鋸。
【考案の詳細な説明】
【技術分野】
【０００１】
本考案は、雪下ろしする際、屋根の積雪の切り離し作業を容易にし、しかも効率的で、人体への落雪を防止して安全な雪下ろし作業を可能にする雪下ろし具として使用する積雪屋根の雪切り鋸に関する。
【背景技術】
【０００２】
大雪の場合、軒先の長期に亙る氷雪のために家屋が破損したり、屋根積雪全体が雪崩れて駐車屋根や通行人の上に落下したりして、しばしばこれらの事故を引き落とすことがある。これらの破損や事故を極力避けるため、予め屋根における積雪量が大きくならないうちに、軒下から容易に雪を落すことのできる道具として、考案されたものである。
これまで、冬場における東北地方の日本海側において、屋根雪の雪降ろし作業は日常生活を確保する作業として、欠かせない作業である。特に屋根雪が庇の下側に回り込んだ雪庇は、垂木を折ることもあり、雪庇が形成されないように、できるだけ早急の除雪が望まれる。このため、屋根積雪を除去するために屋根下方の箇所を立ち位置として、そこから雪下ろし用具を使用して雪下ろし作業を行う方法がある。
【０００３】
これまでの方法、例えば、図５（ａ）に示す雪かき板21と操作柄22を有する雪下し具D1を使用して雪下ろしをする場合、雪かき板21を積雪の底部に差し込み、差し込んだ雪かき板21の部分を持上げて雪塊を分離するが、その際分離した雪塊が作業者に向かって落下し作業者に当ることがあり、身体に危険の場合があった。
これを改善するため、図５（ｂ）に示すように、ガイドG付きの雪下ろし具D2が存在する。これによれば雪下ろし作業において、落下する雪塊を、作業者を回避して外側に逃がすことができる。
しかし、いずれの場合も、雪下ろし雪量は、雪かき板を積雪の底部に差し込める角度が屋根軒先に規制されるため、軒先近辺に制限され、軒先からさらに屋根頂上へ向けた奥までの雪下ろしは望めなかった。
【先行技術文献】
【特許文献】
【０００４】
特開２００３−１８４２４７
【考案の概要】
【考案が解決しようとする課題】
【０００５】
そこで、本考案は、上記した課題を解決するために、雪下ろし作業に当って、その際、滑落する積雪が作業者に直接当たらないように操作できるようにして、作業者の安全を確保するとともに、積雪屋根からの雪下ろし雪量を、その定量化を図りながら単位体の雪塊の分離を確実にして雪下ろしを可能としうる用具として、積雪屋根の雪切り鋸を提供するものである。
【課題を解決するための手段】
【０００６】
本考案は、上記課題を解決するため、操作柄15の先端に角度調整装着可能とした鋸装着杆12と、当該鋸装着杆12の先端に着脱自在に取り付け可能とした鋼製の鋸歯板11とを備えた積雪屋根の雪切り鋸を提供する。
【０００７】
この構成によれば、図１に全体的に示す積雪屋根の雪切り鋸Ｄにおいて、操作杆15に鋼製の鋸歯板11と一体化した鋸装着杆12を、その角度を屋根の角度等を考慮し適宜調整して取り付けて雪切り鋸Ｄを準備する。雪下ろし作業に際しては、図４（a）に示すように、鋸装着杆12に装着した鋸歯板11を立てた状態で、軒先の屋根雪に切り込みを入れる。その際、図4（ｂ）に点線で示すように、軒横方向に順次ジグザグ状に切り込み、その後、最初のジグザグ状に切り込まれた三角の積雪において、鋸歯板11を屋根雪の底に沿って平坦に寝せて差し込む。そこで、鋸歯板11の一方外縁部を支点として他方の外縁部を持上げる回転モーメントを与えるよう力を加えると、屋根積雪は三角の雪の塊のとして個別に簡単、確実に分離され、鋸歯板11の表面から雪塊を切り離して滑落させることができる。
上記のように、小刻みにされた三角形の雪の塊として確実に分離し個別に切落すことができるので、共連れ的に、全体的に滑落する雪崩の発生を防ぐことができると共に、小刻みの三角の滑落に際して、これが重量物として荷重受けとなることがなく、作業時の重荷重を回避できるので、直撃しないように雪塊を側方へ滑落させるべく鋸歯板11を左右に適宜傾斜させる作業が比較的容易に行える。これによって落下雪を鋸歯板11の表面上左右に振り分け、滑落方向を作業者の人体から離れる方向に方向付けることができるので、作業者の安全を確保することが可能となる。
【考案の効果】
【０００８】
本考案は、操作柄15の先端に角度調整可能な鋸装着杆12と、当該鋸装着杆の先端に着脱自在に取り付け可能とした鋼製の鋸歯板11とを備えた積雪屋根の雪切り鋸Dとして構成したことによって、操作柄15と鋸装着杆12の角度を適宜調整して取り付けた鋸歯板11について、この鋸歯板11を立てた状態での使用により、軒先の屋根雪についての軒横方向にジグザグ状に切り出す作業と、その後鋸歯板11を屋根雪の底に沿って平坦に横たえて差し込み、三角状の雪の塊として個別に切り出し、鋸歯板11の表面から雪塊を切り離して滑落させる切り落とし作業の両作業ができる。さらに鋸装着杆12及び鋸歯板11を屋根勾配に沿わせてセットすることができるので、操作柄15に対し鋸歯板11を傾斜してセットした場合には、これによって、従来より奥の方までの雪切りが可能となり、その後の鋸歯板11を寝かせて差込んで梃子利用により持上げたときに容易に、確実に雪の塊を分離することができ、屋根の積雪のより一層多く雪下ろしを可能とすることができる。
【０００９】
本考案は、鋸歯板11はその前面及び両側面の前方全稜線に沿って鋸歯11aを備えるものとして、積雪屋根の雪切り鋸を構成したので、いずれの側部の鋸歯11aを適宜選択して、又は鋸歯11aの上下位置を変更して据えかえることによっても、雪切り作業及び氷切り作業に利用することができ、また鋼板製の鋸歯板11により屋根積雪の切り取り、切り落としを容易に行うことができる。
なお、前記鋸歯板11の鋸歯11aにおいて、その一方の側の鋸歯部分を、氷切断用刃を持つ鋸歯とすることにより、使い分けできるように変更することも本考案の範囲内である。
【００１０】
本考案は、前記鋸歯板11はその中央に備える雌ねじ筒11ｂと、前記鋸装着杆12先端の雄ねじ部12aとによる螺合構造により長手方向調節自在な取り付け構造となした積雪屋根の雪切り鋸Dによって、鋸歯板11を含む鋸装着杆12の長さを調整することができるので、雪降ろしの際の、三角雪塊の大きさを適宜調整することができる。
【００１１】
本考案は、 前記操作柄15は、その先端に、鋸装着杆12との中間部材としてブラケット14を備え、当該ブラケット14は、前記操作柄15の先端を挿入し固定する筒部分と、前記鋸装着杆12の他端を枢支すると共に前記鋸装着杆を所定の角度に調整された位置に固定するクランプねじ14dを備えたものとした積雪屋根の雪切り鋸Dによって、鋸装着杆12及び鋸歯板11を屋根勾配に沿わせてより、軒先から奥方向の積雪についても確実な雪切りをすることができる
【００１２】
本考案は、 前記操作柄15及びブラケット14と積雪屋根の鋸歯板11を、ねじ部材を用いて取り外し自在とし、これによって両部材の脱着を容易にしたので、雪切り鋸の使用後の片付けにおいて、脱着後の分解品を丈の短い部材として得ることができ、したがって小スペース内の小型収納が可能となり、これにより収容性を高めることができる。
【図面の簡単な説明】
【００１３】
【図１】本考案の組み立てられた雪切り鋸の全体図を示す。
【図２】雪切り鋸の部分的分解図および一部の断面図を示すものであり、(ａ)は鋸歯板と、鋸装着杆及びブラケットの装着された操作柄を分離し、さらに摘み付きクランプねじを外し紐で鋸装着杆に連結して示す分解図であって、一点鎖線は接続位置を示し、(ｂ)は同（ａ）の鋸歯板に係る矢視線における断面図である。
【図３】本考案の雪切り鋸に係る鋸装着杆とブラケットの組立体を装着した操作柄の組立図であり、（ａ）は、その組立時における側面図であり、（ｂ）は組立時における一部断面で示す平面図である。
【図４】本考案の雪切り鋸に係る使用形態を示す概要図であり、（ａ）は、屋根積雪に鋸歯板を立てて切り込みを入れる作業状態を示し、（ｂ）は鋸歯板を水平にして屋根積雪の底に差込んで切り落とす作業時の状態を示す。
【図５】先行技術を示す概要図であり、（ａ）は雪下し具の先行例を示し、（ｂ）はガイドを備えて改良された雪下し具の先行例を示し、（ｃ）は改良型雪下ろし具の使用形態を示す概要図である。
【実施例】
【００１４】
（雪切り鋸板の概要説明）
以下、図面を引用しながら本考案について説明する。
図１を参照して、雪切り鋸Ｄは、基本的には鋸歯板11及び鋸歯装着杆12と操作柄15、から構成される。鋸歯板11は鋸歯装着杆12により操作柄15に組み立てられる。本考案の実施例では、鋸歯装着杆12は操作柄15に直接組み立てる以外のものとして、中継材としてのブラケット14を介した組み立てが図示される。なお、図示省略しているが、鋸歯装着杆12を操作柄15に直接組み立てる場合は、操作柄15の先端に、後述する当該ブラケット14機能と同じ機能を有する構造を持つように一体に製造されることは勿論である。
また、図１において操作柄15は、外観のみで示されるが、互いに入り子式に挿入される第一操作柄15a、補助操作柄15ｂ及び所定の伸縮長さ位置に締め付けロックする袋ナット15cとからなる伸縮自在なロッドが図示される。しかし、これに限らず、図３、図４に示すように、一本の操作柄であっても差し支えない。伸縮自在なロッド自体周知の構造であり、任意に採用することができる。
【００１５】
図２(a)を参照して、鋸歯板11は、好ましくは０．８〜１．０ｍｍ厚の鋼材から製作された鋸であって、平面上、先端部略楕円形をなし、後端部の接続木口を除いてその全外周に、氷を切る位の鋸歯11ａが形成されている。またその中央部には接続木口から前方に向かう切り欠き11cを有し、この切り欠き11ｃ部分に雌ねじ筒11ｂが差し込み装着され、差し入れた雌ねじ筒11ｂは、図２（ａ）、図２（ｂ）に示すようにその両側切り欠き11ｃ側縁との接触箇所においてスポット溶接が施され、一体化される。
【００１６】
（鋸歯板と鋸装着杆との取り付け）
図２において、鋸歯板11は、操作柄15に組み立てるために鋸装着杆12と接続される。具体的には、図３（ａ）を参照して、この鋸装着杆12先端の雄ねじ部12ａが前記鋸歯板11の雌ねじ筒11ｂとの螺着により、この雌ねじ筒11ｂを介して鋸歯板11が接続される。なお、この先端に雄ねじ部12ａを有した鋸装着杆12は、図３（ｂ）に示すように、その他端において、操作柄15にブラケット14を介して、固定ねじ14ｃ、14ｃなどのねじ手段等により着脱可能に接続されている。
【００１７】
（鋸歯板と鋸装着杆の装着後のロック）
図１に戻って、鋸歯板11と鋸装着杆12の組立における、鋸歯板11の雌ねじ筒11ｂと鋸装着杆12の雄ねじ部12ａとの螺着構造において、さらに、鋸装着杆12はその雄ねじ部12ａに螺着するロックナット13を備えている。実際取り付け作業において、両部材11，12の螺合により所定の接続長さになった位置でこのロックナット13を螺着する。これにより、鋸歯板11と鋸装着杆12両部材の軸方向・回転方向の緩み止めがなされ、雪切り作業や、雪落とし作業中において、鋸歯板11の面に、作業時の雪のモーメント荷重が掛ったときでも、鋸装着杆12に対して鋸歯板11がねじ戻され、鋸歯板11が緩んで鋸装着杆12に対して回転することがなく、その当初の組立位置を確り保持することができるようになっている。
言い換えれば、ロックナット13は、鋸装着杆12先端の雄ねじ部12ａと雪切り鋸板の雌ねじ筒11ｂとを所定の長さに螺着して取り付けた後、雄ねじ部12ａに締め付け螺着することにより鋸装着杆12と鋸歯板11と緩み止めを図り、両者の回転方向位置を固定し、雪下ろし作業時に、鋸歯板11が緩んで廻り、その切り出し角度が作業中に変わることのないように固定し、雪切り作業を確実にするものである。
【００１８】
本考案の実施例では、図３に示すように、鋸装着杆12は、操作柄15に組み立てるためにブラケット14が介在される。またブラケット14は、その一端に前記した鋸装着杆12が枢支装着され、他端では操作柄15に対し固定ねじ14ｃ，14ｃによりねじ止めされる。
鋸装着杆12、ブラケット14および操作柄15の装着構造について述べる。ブラケット14は、その一端では、鋸装着杆12を回転方向可動に枢支するピン14ａ備えると共に一対のセットねじ孔14ｂ，14ｂを有し、そしてこの枢支する鋸装着杆12をブラケット14に対する２つのセット位置に選択的に締め付け固定するため、前記一対のセットねじ孔14ｂ，14ｂに、選択的に螺着する一本のクランプねじ14ｄとを備えている（図２（ａ）参照）。前記セットねじ孔14ｂ，14ｂはブラケット14の幅内に枢支ピン14ａを中心とする円周上で２箇所螺設され、クランプねじ14ｄとして紐16を結着した摘み付きクランプねじ14ｄが採用される。
したがって、このセットねじ孔14ｂ，14ｂに摘み付きクランプねじ14ｄを選択的に螺着して鋸装着杆12を所定の姿勢にセットすれば、鋸装着杆12をブラケット14と一直線上に又は傾斜した位置のいずれか適宜セットして使用に供することができる。
図２、図３に示すように、ブラケット14の他端と操作柄15の上端部が固定ねじ14ｃ，14ｃにより接続され、一体に組立てられる。操作柄15、ブラケット14は、円形の棒材又は管材等、任意の形状の材料を選択して使用することが可能である。操作柄15、ブラケット14に管材を選択した場合は、入り子式に組立てた後、両者をねじ部材で接続する。ブラケット14を板材、操作柄15を角材とした場合でも、両者の重ね部、軸中央部の挿入部（図３（ｂ）参照）において、同様にねじ接続することができる。
【００１９】
操作柄15については、長距離部分の積雪に到達でき長さを確保できるように伸縮自在の構造とすることができる（図１、図２参照）。実施例において、所定の伸縮位置に固定するための袋ナット15ｃを備えたものが例示されるが、これに限定されない。
【００２０】
以上説明したように、本考案において、積雪屋根からの雪降ろし作業用の雪切り鋸Ｄは、操作柄15の先端に鋸歯装着杆12を介して鋸歯板11が取り付けられる。また、操作杆15は、さらにブラケット14を介し、鋸歯装着杆12に連結され、鋸歯装着杆12は介在するブラケットに対し、枢支ピン14ａを介して揺動自在に枢支されると共に、摘み付きクランプねじ14ｄにより２段階の所定回動位置にセット締め付け固定可能とされる。さらに、本考案においては、摘み付きクランプねじ14ｄは紐16により任意の部材、鋸歯装着杆12等に連結され、摘み付きクランプねじ14ｄの脱落防止がなされる。
【００２１】
本考案の雪切り鋸Ｄは、雪下ろしに際しての使用時には、操作柄15に対する鋸歯装着杆12及び鋸歯板11の傾斜方向位置を設定して摘み付きクランプねじ14ｄにより締め付け固定すると共に、伸縮自在の操作柄15を採用することによって、平屋、２階建など建物の高さの異なる積雪屋根に対応して、屋根に届く高さの傾斜に併せて、使い分けすることができる。
【００２２】
（鋸装着杆の操作柄の取り付け）
雪きり鋸の使用に際しては、先ず、操作柄15の先端部にブラケット14をねじ止めして装着する。次いで、このブラケット14の一端に前記鋸装着杆12を枢着支持し、両者を一直線上となる位置と、所定の傾斜した位置との任意に位置を選択し、摘み付き締付けねじ14ｄをセットねじ孔14ｂ，14ｂの一つにセット螺着してクランプし、前記鋸装着杆12をブラケット14に対して所定位置に固定する。最終的にこの鋸装着杆12に鋸歯板11を螺着し、ロックナット13により鋸歯板11をその位置に、所定の姿勢でセット固定する。
鋸装着杆12に対する鋸歯板11の所定位置姿勢の固定して、所定の角度姿勢の取り付けの場合において、鋸歯板11の立て面は、所定の角度姿勢方向の面と同一面となるものとする。
【００２３】
（鋸板及び鋸装着杆の操作柄セット２形態とその使用法）
鋸装着杆12をブラケット14と一直線上にセットし、したがって鋸歯板11を操作柄15と一直線状として固定した雪きり鋸Ｄは、比較的低い屋根における積雪を鋸切りし、差込んで雪落としをする場合に使用することができる。
また、ブラケット14に対し鋸装着杆12を所定角度に折り曲げセット位置決めして固定し、したがって鋸装着杆12により接続された鋸歯板11と操作柄15を所定角度に折り曲げてセットして固定した雪きり鋸Ｄは、比較的高い屋根の積雪を鋸切りして切り出し、積雪を屋根から切落するための雪切り鋸として使用される。
【００２４】
（積雪切り落とし作業）
雪降ろし作業に当っては、図４に示すように、屋根積雪の軒先横方向に三角状の雪塊を形成するように先ずジグザグ状に連続して雪上層部から下層部に及んでノコギリ切断し、その上で、三角状の雪塊の底部に鋸歯板11を水平状に個別に差し込み、個別に切り落す方法である。或いは、一個一個ずつ三角形状の雪塊をノコギリ切断し、次いで切断部分の積雪の下方に鋸歯板11を水平状に差し込み、差込み終了後の片寄せた持ち上げにより鋼板の鋸歯板の表面上を滑落させることができる。雪下ろしに際して、屋根上方部の積雪の雪下ろしをする場合には、操作柄の長さを延長する必要がある。このため、操作柄を伸縮自在な構造のものを採用して、これに対処することができる。図の袋ナット15ｃは、伸縮自在な操作柄を所定の長さに伸縮させ、予定の長さの位置で固定して使用することになる。
【００２５】
（雪切り鋸板の収納形態説明）
雪降ろし鋸Ｄの使用後は、この雪切り鋸Ｄを構成する鋸歯板11、鋸装着杆12、ブラケット14、操作柄15はねじ接続構造を採用し、各部材同士が取り外し自在に固定してあるので、簡単に分離、分解することができ、これによりコンパクトに収納することが可能となる。
【００２６】
（雪切り鋸板に係る各部品の概要）
鋸歯板11は鋼板製で、鋸歯11ａは、両側辺のみならず先端稜線部分においても形成されている。その際、鋸歯の両側辺は氷雪用の鋸歯として製作されているので、積雪下方部分が氷結されていても、この氷結部分をも鋸切りして破断分離しやすくすることができる。
【００２７】
（摘み付きボルトの脱落防止）
鋸歯板11を装着した鋸装着杆12をブラケット14にセット固定するねじは、摘みつきクランプねじ14ｄを使用し、摘みつきクランプねじ14ｄの摘みにより螺着し、簡単に脱着できる。この摘み部分には紐16が連結され、紐16の他端を操作柄15又は鋸装着杆12の軸部に適宜連結固定されているので、鋸装着杆12の直線状又は屈折状取り付け位置替え作業時に、摘みつきクランプねじ14ｄをブラケット14から逐一取外す際に、外部に脱落して見失い紛失するようなことを防止することができる。
【００２８】
（雪切り鋸板の交換作業）
磨耗や、破損により鋸歯板11の交換が必要となったときには、ロックナット13を緩め、鋸歯板11の雌ねじ筒11ｂと鋸装着杆12との螺着を解除することにより簡単に交換することができる。
【符号の説明】
【００２９】
Ｓ 屋根積雪
Ｄ 雪切り鋸
１１  鋸歯板
１１ａ  鋸歯
１１ｂ  雌ねじ筒
１１ｃ  切り欠き
１２  鋸装着杆
１２ａ  雄ねじ部
１２ｂ  枢着軸部
１３  ロックナット
１４  ブラケット
１４ａ  枢支ピン
１４ｂ，１４ｂ  セットねじ孔
１４ｃ  固定ねじ
１４ｄ  摘み付きクランプねじ
１５  操作柄
１５ａ  第１操作柄
１５ｂ  接続操作柄
１５ｃ  キャップナット
１６  ひも
【図１】
0003176387.tif 000003
【図２】
0003176387.tif 000004
【図３】
0003176387.tif 000005
【図４】
0003176387.tif 000006
【図５】
0003176387.tif 000007
【手続補正書】
【提出日】平成24年4月9日(2012.4.9)
【手続補正１】
【補正対象書類名】実用新案登録請求の範囲
【補正対象項目名】全文
【補正方法】変更
【補正の内容】
【実用新案登録請求の範囲】
【請求項１】
操作柄の先端に角度調整装着可能とした鋸装着杆と、当該鋸装着杆の先端に着脱自在に取り付け可能とした鋼製の鋸歯板とを備えた積雪屋根の雪切り鋸。
【請求項２】
鋸歯板はその前面及び両側面の稜線に沿って鋸歯を備えたものであることを特徴とする請求項１に記載の積雪屋根の雪切り鋸。
【請求項３】
前記鋸歯板はその中央に備える雌ねじ筒と、前記鋸装着杆先端の雄ねじ杆とによる螺合構造により取り付け長さ調節自在とし、調節固定位置にロック可能としたことを特徴とする請求項１または請求項２に記載の積雪屋根の雪切り鋸。
【請求項４】
前記操作柄は、その先端に、鋸装着杆との中間部材としてブラケットを備え、当該ブラケットは、前記操作柄の先端を挿入し固定する筒部分と、前記鋸装着杆の他端を枢支すると共に前記鋸装着杆を所定の角度に調整された位置に固定するクランプねじを備えたものであることを特徴とする、請求項１〜３のいずれかに記載の積雪屋根の雪切り鋸。
【請求項５】
前記クランプねじは摘み頭部を有し、脱落防止紐により連結した請求項１〜４のいずれかに記載の積雪屋根の雪切り鋸。
【請求項６】
前記操作柄を伸縮自在とした請求項１〜５のいずれかに記載の積雪屋根の雪切り鋸。